(57)【要約】【課題】顔面を効率良く冷却できる顔面冷却装置を提供する。【解決手段】冷却剤または電気的冷却装置を用いて顔面を冷却する装置であって、冷却剤または電気的冷却装置と顔面との間に空気流路を形成する空気流路形成手段を有する。【選択図】図１
2022001682.tif 000002
【特許請求の範囲】
【請求項１】
冷却剤または電気的冷却装置を用いて顔面を冷却する装置であって、
前記冷却剤または前記電気的冷却装置と顔面との間に空気流路を形成する空気流路形成手段を有することを特徴とする顔面冷却装置。
【請求項２】
前記空気流路は、
外気を鼻孔に誘導し且つ鼻孔からの吐息を外部に誘導する空間である、請求項１記載の顔面冷却装置。
【請求項３】
前記空気流路は、
顔面に直接または通気性マスクを介して接触し且つ互いに隣接する顔面接触部の間に形成される、請求項２記載の顔面冷却装置。
【請求項４】
前記空気流路は、複数形成され、且つ、
左右の鼻翼の下端近傍から左右上方に放射状に延びている、請求項３記載の顔面冷却装置。
【請求項５】
前記冷却剤を包む断熱材を有する、請求項１から４のいずれか一項記載の顔面冷却装置。
【請求項６】
通気性マスクの中央付近を摘まんだ状態で保持する摘持部を有する、当該通気性マスクが鼻孔または口に密着することを防止する機構を有する、請求項１から５のいずれか一項記載の顔面冷却装置。
【発明の詳細な説明】
【技術分野】
【０００１】
本発明は、顔面を冷却する技術に関するものである。
【背景技術】
【０００２】
鼻孔および口をカバーする通気性マスクを着用したまま運動をしたり、高温多湿の中で着用したりすると、通気性マスク内が高温多湿になり、熱中症を発症する危険がある。
【０００３】
これを解決するために通気性マスク内に冷却材を挿入する方法が考えられている。
【先行技術文献】
【特許文献】
【０００４】
【特許文献１】実登3096132号公報
【特許文献２】特開2002-345985号公報
【発明の概要】
【発明が解決しようとする課題】
【０００５】
しかし、上述した従来の技術では、顔面を冷却する効率が不十分である。
【０００６】
本発明は、顔面を効率良く冷却できる顔面冷却装置を提供する。
【課題を解決するための手段】
【０００７】
一実施形態の顔面冷却装置は、冷却剤または電気的冷却装置を用いて顔面を冷却する装置であって、前記冷却剤または前記電気的冷却装置と顔面との間に空気流路を形成する空気流路形成手段を有することを特徴とする。
【０００８】
上記構成によれば、冷却剤と顔面との間に、空気の流れを生じさせことにより、呼吸時の空気の流れを利用して、効率よく顔面を冷却できる。すなわち、激しく運動すると体温は高くなるが、呼吸量の増加により、冷却剤と顔面の皮膚との間を流れる空気の流量も増大するため、顔面を効率良く冷却することができる。
【０００９】
一実施形態の顔面冷却装置において、前記空気流路は、外気を鼻孔に誘導し且つ鼻孔からの吐息を外部に誘導する空間であることが望ましい。この構成によれば、呼吸により生ずる冷気と暖気とが一定の場所を交互に流れるので、冷却剤を皮膚近くに長時間設けることにより生ずる凍傷など低温障害を防止できる。
【００１０】
一実施形態の顔面冷却装置において、前記空気流路は、顔面に直接または通気性マスクを介して接触し且つ互いに隣接する顔面接触部の間に形成されることが望ましい。この構成によれば、空気流路を簡単な構造で形成できる。
【００１１】
一実施形態の顔面冷却装置において、前記空気流路は、複数形成され、且つ、左右の鼻翼の下端近傍から左右上方に放射状に延びていることが望ましい。この構成によれば、顔面の広い範囲を冷却できる。
【００１２】
一実施形態の顔面冷却装置は、前記冷却剤を包む断熱材を有することが望ましい。この構成によれば、凍傷などの低温障害を防止するとともに、冷却剤による冷却可能時間を長くすることができる。
【００１３】
一実施形態の顔面冷却装置は、通気性マスクの中央付近を摘まんだ状態で保持する摘持部を有することが望ましい。この構成によれば、通気性マスクの中央付近を摘まんだ状態で保持することにより、湿った通気性マスクが鼻孔または口に密着するのを防止して、息苦しさを抑制できる。
【発明の効果】
【００１４】
一実施形態の顔面冷却装置によれば、呼吸時の空気の流れを利用して、効率良く顔面を冷却できる。
【図面の簡単な説明】
【００１５】
【図１】一実施形態の顔面冷却装置の背面図である。
【図２】（A)：一実施形態の顔面冷却装置の側面図である。（B)：一実施形態の顔面冷却装置の背面図である。
【発明を実施するための形態】
【００１６】
図１及び図２は、一実施形態の顔面冷却装置の背面すなわち顔面に面する側の面を示している。
図１に示すように、一実施形態の顔面冷却装置１は、冷却材２８を断熱性の保冷バック（断熱材）２１で包むとともに、保冷バック２１に、顔面に面して冷気を取り出すための開口部３０と、空気流路３６を形成するための顔面接触部３１とを設けることにより概ね構成される。冷却材２８には、所謂冷却材の他、所謂保冷剤も含まれるものとする。
【００１７】
空気流路３６は、外気を鼻孔３２に誘導し且つ鼻孔３２からの吐息３４を外部に誘導する空間である。空気流路３６は、複数形成され、且つ、左右の鼻翼３７の下端近傍から左右上方に放射状に延びている。
【００１８】
顔面接触部３１は、顔面に直接または通気性マスク５４（図２参照）を介して接触し且つ互いに隣接する。空気流路３６は、顔面接触部３１の間に形成される。
【００１９】
図２に示すように、顔面冷却装置１の中央部には、通気性マスク５４の中央部を摘まんだ状態で保持するクリップ（摘持部）５２が設けられている。この例では、顔面冷却装置１の中央部に鼻あて５０と空洞部外壁５１とを設けることにより、鼻と口を収容可能な空気溜まりを形成するとともに、空洞部外壁５１にクリップ５２を設けている。
【００２０】
一実施形態の顔面冷却装置１によれば、外気３３を鼻孔３２に吸い込むときに、外気３３が空気流路３６を通過し、その間に外気３３が冷却材２８により冷却されて冷気３５となり、その冷気３５により顔面が冷却される。また、顔面を冷却した後の温まった空気が外部に流出することにより熱が外部に放出され、このことによっても顔面が冷却される。
【００２１】
また、息をはくときは、鼻孔３２からの吐息３４が空気流路３６を通過し、その間に吐息３４が冷却材２８により冷却されて冷気３５となり、その冷気３５により顔面が冷却される。また、顔面を冷却した後の温まった空気が外部に流出することにより熱が外部に放出され、このことによっても顔面が冷却される。また、温度の高い吐息３４が空気流路３６を通ることにより、顔面の冷えすぎを抑制し、凍傷など低温障害を防止できる。
【００２２】
また、通気性マスク５４の中央部を摘まんだ状態で保持することにより、湿った通気性マスク５４が鼻孔３２または口に密着するのを防止して、息苦しさを抑制できる。
【００２３】
なお、本発明は、上記実施形態に限定されない。たとえば、上記実施形態では、冷却材２８を使用しているが、冷却材２８の代わりに、たとえばペルチェ効果により冷却機能を発揮する電気的冷却装置を使用してもよい。
【００２４】
また、顔面冷却装置１の中央部に逆止弁など弁機構を設けてもよい。弁機構は、息を吸うときは閉状態になり、息を吐くときは開状態になる。この構成によれば、息を吸うときは空気流路３６を通して冷気３５を吸うことができ、息を吐くときは、熱い吐息３４の一部を空気流路３６を通さずに外部に逃がすことができるので、冷却材２８の効き目を長く持たせることができる。
【符号の説明】
【００２５】
１  顔面冷却装置
２１  保冷バッグ（空気流路形成手段）
２８  冷却材（空気流路形成手段）
３０  開口部（空気流路形成手段）
３１  顔面接触部（空気流路形成手段）
３２  鼻孔
３３  外気
３４  吐息
３５  冷気
３６  空気流路
５０  鼻あて
５１  空洞部外壁
５２  クリップ（摘持部）
【図１】
2022001682.tif 000003
【図２】
2022001682.tif 000004